(57)【要約】【課題】放送停止等の視聴不可能なチャンネルを選局不可とし、視聴可能なチャンネルのみを選局する。【解決手段】受信装置のＣＰＵ６は、チューナ１とレシーバＩＣ２に所定の周波数範囲内でデジタル放送を順次検索して受信させ、放送局から送られたタグ情報を受信信号から取得して、このタグ情報に基づいて視聴可能なチャンネルかどうかを判定し、この判定結果に基づいて視聴可能なチャンネルを示す視聴可能チャンネルリストをＲＡＭ８に作成する。ＣＰＵ６は、ユーザの要求に応じてデジタル放送のチャンネルを選局するときに、視聴可能チャンネルリストに登録されたチャンネルのみを選局可能とする。【選択図】  図１
2006270776.tif 000002
【特許請求の範囲】
【請求項１】
所定の周波数範囲内でデジタル放送を順次検索して受信する検索手順と、
放送局から送られたタグ情報を前記検索手順で受信した受信信号から取得して、このタグ情報に基づいて視聴可能なチャンネルかどうかを判定する判定手順と、
この判定結果に基づいて視聴可能なチャンネルを示す視聴可能チャンネルリストを作成するリスト作成手順と、
ユーザの要求に応じて前記デジタル放送のチャンネルを選局するときに、前記視聴可能チャンネルリストに登録されたチャンネルのみを選局可能とする選局手順とを備えることを特徴とするデジタル放送の選局方法。
【請求項２】
請求項１記載のデジタル放送の選局方法において、
さらに、前記リスト作成手順の前に、前記受信信号から受信品質を計測する受信品質計測手順を備え、
前記リスト作成手順は、前記判定手順で視聴可能なチャンネルと判定され、かつ前記受信品質が所定の閾値より良好なチャンネルのみを前記視聴可能チャンネルリストに登録することを特徴とするデジタル放送の選局方法。
【請求項３】
請求項１又は２記載のデジタル放送の選局方法において、
前記タグ情報は、放送停止情報であることを特徴とするデジタル放送の選局方法。
【請求項４】
請求項１又は２記載のデジタル放送の選局方法において、
さらに、視聴不可能なチャンネルとその視聴不可の理由とを登録した視聴不可チャンネルリストを作成する手順と、
ユーザの要求に応じて前記デジタル放送のチャンネルを選局するときに、前記視聴可能チャンネルリストと前記視聴不可チャンネルリストに基づいて、視聴可能なチャンネルの番号と視聴不可能なチャンネルの番号とを表示すると共に、視聴不可能なチャンネルについて視聴不可の理由を表示する表示手順とを備えることを特徴とするデジタル放送の選局方法。
【請求項５】
所定の周波数範囲内でデジタル放送を順次検索して受信する検索手段と、
放送局から送られたタグ情報を前記検索手段で受信した受信信号から取得して、このタグ情報に基づいて視聴可能なチャンネルかどうかを判定する判定手段と、
この判定結果に基づいて視聴可能なチャンネルを示す視聴可能チャンネルリストを作成するリスト作成手段と、
ユーザの要求に応じて前記デジタル放送のチャンネルを選局するときに、前記視聴可能チャンネルリストに登録されたチャンネルのみを選局可能とする選局手段とを備えることを特徴とするデジタル放送の受信装置。
【発明の詳細な説明】
【技術分野】
【０００１】
本発明は、視聴可能なチャンネルを自動的に検索して記憶するデジタル放送の選局方法および受信装置に関するものである。
【背景技術】
【０００２】
近年、地上波アナログテレビ放送がデジタルに移行しつつあり、ラジオ放送についてもデジタルラジオ放送の実用化試験放送が開始されている。デジタルテレビ放送、デジタルラジオ放送のいずれにおいても、アナログ放送に比べて多チャンネル化が実現できることが知られている。このため、ユーザにとっては、受信可能なチャンネルを自動的に検索して記憶するオートプリセット機能付きの受信装置があると便利である。このオートプリセット機能によれば、受信不可能なチャンネルをスキップして、受信可能なチャンネルのみを選局できるようにすることができる。
【０００３】
従来、アナログラジオ放送において、このようなオートプリセット機能付きの受信装置が提案されている（例えば、特許文献１参照）。特許文献１に開示された受信装置は、受信信号強度の大きいチャンネルを自動的に検索して記憶するようにしたものである。このような受信装置をデジタル放送に適用すれば、オートプリセット機能を実現できると考えられる。
【０００４】
【特許文献１】特開２００４−０５６５００号公報
【発明の開示】
【発明が解決しようとする課題】
【０００５】
しかしながら、特許文献１に開示された方法をデジタル放送に適用したとしても、放送停止中のチャンネルには対応できないという問題点があった。つまり、特許文献１に開示された受信装置では、例えば受信信号強度に基づいて受信可能なチャンネルかどうかを判断している。このため、放送停止中であるにも拘わらず、試験電波等を送っているチャンネルの場合、試験電波により受信装置側では十分な受信信号強度が得られ、このチャンネルを受信可能なチャンネルとして記憶してしまうので、実際には視聴できないチャンネルが受信装置に記憶されることになる。したがって、ユーザがチャンネルを選局するときに、視聴不可能なチャンネルを選局してしまう可能性があり、ユーザにとっての利便性が低下し、また選局したはずのチャンネルを視聴できないことからユーザに不快感を与える恐れがある。
【０００６】
本発明は、上記課題を解決するためになされたもので、放送停止等の視聴不可能なチャンネルを選局不可とし、視聴可能なチャンネルのみを選局することができるデジタル放送の選局方法および受信装置を提供することを目的とする。
【課題を解決するための手段】
【０００７】
本発明のデジタル放送の選局方法は、所定の周波数範囲内でデジタル放送を順次検索して受信する検索手順と、放送局から送られたタグ情報を前記検索手順で受信した受信信号から取得して、このタグ情報に基づいて視聴可能なチャンネルかどうかを判定する判定手順と、この判定結果に基づいて視聴可能なチャンネルを示す視聴可能チャンネルリストを作成するリスト作成手順と、ユーザの要求に応じて前記デジタル放送のチャンネルを選局するときに、前記視聴可能チャンネルリストに登録されたチャンネルのみを選局可能とする選局手順とを備えるものである。
また、本発明のデジタル放送の選局方法の１構成例は、さらに、前記リスト作成手順の前に、前記受信信号から受信品質を計測する受信品質計測手順を備え、前記リスト作成手順は、前記判定手順で視聴可能なチャンネルと判定され、かつ前記受信品質が所定の閾値より良好なチャンネルのみを前記視聴可能チャンネルリストに登録するようにしたものである。
また、本発明のデジタル放送の選局方法の１構成例において、前記タグ情報は、放送停止情報である。
また、本発明のデジタル放送の選局方法の１構成例は、さらに、視聴不可能なチャンネルとその視聴不可の理由とを登録した視聴不可チャンネルリストを作成する手順と、ユーザの要求に応じて前記デジタル放送のチャンネルを選局するときに、前記視聴可能チャンネルリストと前記視聴不可チャンネルリストに基づいて、視聴可能なチャンネルの番号と視聴不可能なチャンネルの番号とを表示すると共に、視聴不可能なチャンネルについて視聴不可の理由を表示する表示手順とを備えるものである。
また、本発明のデジタル放送の受信装置は、所定の周波数範囲内でデジタル放送を順次検索して受信する検索手段と、放送局から送られたタグ情報を前記検索手段で受信した受信信号から取得して、このタグ情報に基づいて視聴可能なチャンネルかどうかを判定する判定手段と、この判定結果に基づいて視聴可能なチャンネルを示す視聴可能チャンネルリストを作成するリスト作成手段と、ユーザの要求に応じて前記デジタル放送のチャンネルを選局するときに、前記視聴可能チャンネルリストに登録されたチャンネルのみを選局可能とする選局手段とを備えるものである。
【発明の効果】
【０００８】
本発明によれば、放送局から送られたタグ情報に基づいて視聴可能なチャンネルかどうかを判定し、視聴可能なチャンネルを視聴可能チャンネルリストに登録するようにしたので、ユーザの要求に応じてチャンネルを選局するときには、視聴可能チャンネルリストに登録された視聴可能なチャンネルのみを選局することができ、放送停止等の視聴不可能なチャンネルを選局することがなくなる。その結果、本発明では、ユーザがスムーズに所望のチャンネルを選局することができ、また選局したはずのチャンネルを視聴できないことによるユーザの不快感を軽減することができる。
【０００９】
また、本発明では、判定手順で視聴可能なチャンネルと判定され、かつ受信品質が所定の閾値より良好なチャンネルのみを視聴可能チャンネルリストに登録するようにしたので、放送中であっても受信品質が不良なチャンネルを視聴可能チャンネルリストから除くことができ、デジタル放送を快適に視聴することができる。
【００１０】
また、視聴可能なチャンネルの番号と視聴不可能なチャンネルの番号とを表示すると共に、視聴不可能なチャンネルについて視聴不可の理由を表示することにより、ユーザが視聴可能なチャンネルと視聴不可能なチャンネルを認識することができ、さらに所望のチャンネルを視聴できないときにその理由を知ることができる。
【発明を実施するための最良の形態】
【００１１】
［第１の実施の形態］
以下、本発明の実施の形態について図面を参照して説明する。図１は、本発明の第１の実施の形態となるデジタルラジオ放送の受信装置の構成を示すブロック図である。本実施の形態の受信装置は、チューナ１と、レシーバＩＣ２と、Ｄ／Ａ変換器３と、アンプ４と、スピーカ５と、ＣＰＵ（Central Processing Unit ）６と、ＲＯＭ（Read Only Memory）７と、ＲＡＭ（Random Access Memory）８と、ユーザインタフェース（以下、ユーザＩ／Ｆと略する）９と、表示装置１０とから構成される。チューナ１とレシーバＩＣ２とＣＰＵ６とは、デジタル放送を順次検索して受信する検索手段と、ユーザの要求に応じてチャンネルを選局するときに、後述する視聴可能チャンネルリストに登録されたチャンネルのみを選局可能とする選局手段とを構成している。また、ＣＰＵ６は、視聴可能なチャンネルかどうかを判定する判定手段と、視聴可能チャンネルリストを作成するリスト作成手段とを構成している。
【００１２】
チューナ１は、アンテナで受信された放送信号の中から所望のチャンネルの信号のみを選択する。レシーバＩＣ２は、チューナ１で選択された放送信号をデコーダ２０によりデコードして、デジタルデータを取り出す。このデジタルデータとしては、放送局から送られる音声データや、放送停止情報（ＯＦＦ  ＡＩＲ）等のタグ情報がある。また、レシーバＩＣ２は、受信品質計測手段となるＢＥＲ計測部２１によりデジタルデータのビットエラーレート（ＢＥＲ）などの信号品質に関する情報を計測する。
【００１３】
ＣＰＵ６は、ＲＯＭ７に予め格納されたプログラムに従って動作し、選択したチャンネルが放送停止かどうかをレシーバＩＣ２が取得したタグ情報に基づいて判定する。また、ＣＰＵ６は、レシーバＩＣ２で計測されたＢＥＲとＲＯＭ７に予め設定されたＢＥＲ閾値とを比較して、計測されたＢＥＲがＢＥＲ閾値を下回るかどうかを判定する。そして、ＣＰＵ６は、放送停止でなく、かつ受信品質が良好なチャンネルと判定した場合、このチャンネルの放送局識別子（Station Identification、以下、ＳＩＤとする）を視聴可能なチャンネルのＳＩＤとしてＲＡＭ８に格納する。以上のようなチャンネルの選択と視聴可否の判定とを繰り返すことにより、ＲＡＭ８内に視聴可能なチャンネルを示す視聴可能チャンネルリスト（ＳＩＤリスト）が作成される。
【００１４】
以下、このＳＩＤリスト作成処理について図２を用いてより詳細に説明する。まず、ＣＰＵ６は、ＲＡＭ８に格納されたＳＩＤリストからＳＩＤを全て削除して、ＳＩＤリストを初期化する（ステップＳ１）。続いて、ＣＰＵ６は、チャンネル数をカウントするためのカウント値ＮＵＭを１に初期化し（ステップＳ２）、所定の周波数範囲内の全てのデジタルラジオ放送のうち最初のチャンネルをレシーバＩＣ２を通じてチューナ１に選択させる（ステップＳ３）。レシーバＩＣ２は、チューナ１で選択された放送信号からデジタルデータを復調し（ステップＳ４）、選択したチャンネルの番号（ＳＩＤ）とデジタルデータから取得したタグ情報とをＣＰＵ６に渡す（ステップＳ５，Ｓ６）。
【００１５】
ＣＰＵ６は、レシーバＩＣ２から受け取ったタグ情報に基づいて、選択したチャンネルが放送停止かどうかを判定する（ステップＳ７）。ＣＰＵ６は、タグ情報に放送停止情報が含まれていない場合、放送中のチャンネルと判定し、レシーバＩＣ２から品質情報（ＢＥＲ）を取得して（ステップＳ８）、取得したＢＥＲとＲＯＭ７に設定されたＢＥＲ閾値とを比較する（ステップＳ９）。ＣＰＵ６は、取得したＢＥＲがＢＥＲ閾値より小さい場合、受信品質が良好と判定し、レシーバＩＣ２から取得したＳＩＤを視聴可能なチャンネルのＳＩＤとしてＲＡＭ８のＳＩＤリストに格納して（ステップＳ１０）、ステップＳ１１に進む。
【００１６】
また、ＣＰＵ６は、ステップＳ７においてタグ情報に放送停止情報が含まれている場合、放送停止中のチャンネルと判定して、ＳＩＤをＲＡＭ８に格納することなく、ステップＳ１１に進む。同様に、ＣＰＵ６は、ステップＳ９においてＢＥＲが閾値以上の場合、受信品質が不良と判定して、ステップＳ１１に進む。
【００１７】
次に、ＣＰＵ６は、全てのデジタルラジオ放送のチャンネルを選択したかどうかをカウント値ＮＵＭに基づいて判定する（ステップＳ１１）。ここでは、全てのチャンネルを選択し終えていないので、カウント値ＮＵＭを１増加させ（ステップＳ１２）、ステップＳ３に戻って次のチャンネルを選択する。こうして、全てのチャンネルを選択し終えるまで、ステップＳ３〜Ｓ１２の処理を繰り返す。ＣＰＵ６は、ステップＳ１１においてカウント値ＮＵＭが（総チャンネル数＋１）の値に達したときに、全てのチャンネルを選択し終えたと判定して、図２のＳＩＤリスト作成処理を終了する。なお、ユーザが選局操作をしていないときに、例えば一定時間毎に図２のＳＩＤリスト作成処理を自動的に起動して行うようにすればよい。
【００１８】
次に、ユーザが選局するときの処理を図３を用いて説明する。まず、ＣＰＵ６は、ユーザが受信装置の選局ボタン等のユーザＩ／Ｆ９を操作して、所望のチャンネルを選局しようとすると（ステップＳ２１）、ＲＡＭ８のＳＩＤリストを参照して、ユーザが選択したチャンネルがＳＩＤリストに登録されているかどうかをチェックする（ステップＳ２２）。ＣＰＵ６は、ユーザが選択したチャンネルのＳＩＤがＳＩＤリストに登録されている場合、視聴可能なチャンネルと判断して、このチャンネルをチューナ１に選択させる（ステップＳ２３）。
【００１９】
また、ＣＰＵ６は、ユーザが選択したチャンネルのＳＩＤがＳＩＤリストに登録されていない場合、視聴不可能なチャンネルと判断して、このチャンネルをスキップして、視聴可能な次のチャンネルをチューナ１に選択させる（ステップＳ２４）。このステップＳ２４で選択されるチャンネルは、チャンネル周波数が低い方から順に選局している場合、ＳＩＤリストにＳＩＤが登録されているチャンネルのうち、視聴不可能と判定された未登録のチャンネルの次に周波数が高いチャンネルであり、チャンネル周波数が高い方から順に選局している場合には、ＳＩＤリストにＳＩＤが登録されているチャンネルのうち、視聴不可能と判定された未登録のチャンネルの次に周波数が低いチャンネルである。
【００２０】
ステップＳ２３又はＳ２４により、チューナ１がチャンネルを選局すると、レシーバＩＣ２のデコーダ２０がチューナ１で選択された放送信号を復調して、復調したデジタルデータに含まれる音声データをＤ／Ａ変換器３に出力する。Ｄ／Ａ変換器３は、レシーバＩＣ２から出力された音声データをアナログ音声信号に変換し、アンプ４は、Ｄ／Ａ変換器３から出力されたアナログ音声信号を増幅してスピーカ５に出力する。これにより、選局したチャンネルの音声がスピーカ５から出力される。
【００２１】
以上のように、本実施の形態では、放送局から送られたタグ情報に基づいて視聴可能なチャンネルかどうかを判定し、視聴可能なチャンネルをＳＩＤリストに登録するようにしたので、ユーザの要求に応じてチャンネルを選局するときには、ＳＩＤリストに登録された視聴可能なチャンネルのみを選局することができ、放送停止等の視聴不可能なチャンネルを選局することがなくなる。また、本実施の形態では、受信品質が良好なチャンネルのみをＳＩＤリストに登録するようにしたので、放送中であっても受信品質が不良なチャンネルをＳＩＤリストから除くことができ、デジタル放送を快適に視聴することができる。
【００２２】
［第２の実施の形態］
第１の実施の形態では、ＳＩＤリストに登録された視聴可能なチャンネルのみを選局するようにしたので、ユーザが要求するチャンネルがＳＩＤリストに登録されていない場合には、この要求に応えることができない。そこで、本実施の形態では、ＣＰＵ６が、ＳＩＤリストとは別に、視聴不可能なチャンネルを示す視聴不可チャンネルリストをＲＡＭ８内に作成し、このリストに視聴不可能なチャンネルのＳＩＤと視聴不可の理由とを登録しておく。視聴不可の理由としては、図２のステップＳ７において放送停止中のチャンネルと判定したときは、例えば「ＯＦＦ  ＡＩＲ」とし、ステップＳ９において受信品質が不良と判定したときは、例えば「ＮＯ  ＳＩＧＮＡＬ」とすればよい。
【００２３】
そして、ＣＰＵ６は、ユーザの要求に応じてチャンネルを選局するときに、視聴可能なチャンネルの番号と視聴不可能なチャンネルの番号とを表示装置１０に一覧表示し、さらに視聴不可能なチャンネルについては視聴不可の理由を一緒に表示する。これにより、ユーザは、視聴可能なチャンネルと視聴不可能なチャンネルを認識することができ、さらに所望のチャンネルを視聴できないときにその理由を知ることができる。
【００２４】
なお、第１、第２の実施の形態では、デジタル放送の１例としてデジタルラジオ放送を例に挙げて説明しているが、これに限るものではなく、本発明をデジタルテレビ放送に適用してもよい。
また、第１、第２の実施の形態では、タグ情報の１例として放送停止情報を例に挙げて説明しているが、タグ情報の他の例としてＲ（restricted）指定情報がある。受信装置のＣＰＵ６は、受信したデジタルデータからタグ情報としてＲ指定情報を取得し、ユーザの年令がこのＲ指定情報で視聴が禁止されている年令の場合、図２のステップＳ７において視聴不可能なチャンネルと判定して、ステップＳ１１に進む。これにより、年令制限付きのチャンネルで、ユーザがこの制限の規制対象となる場合には、視聴不可能なチャンネルとすることができる。
【産業上の利用可能性】
【００２５】
本発明は、デジタル放送の受信装置に適用することができる。
【図面の簡単な説明】
【００２６】
【図１】本発明の第１の実施の形態となるデジタルラジオ放送の受信装置の構成を示すブロック図である。
【図２】図１の受信装置のＳＩＤリスト作成処理を示すフローチャートである。
【図３】図１の受信装置の視聴可能チャンネル選局処理を示すフローチャートである。
【符号の説明】
【００２７】
１…チューナ、２…レシーバＩＣ、３…Ｄ／Ａ変換器、４…アンプ、５…スピーカ、６…ＣＰＵ、７…ＲＯＭ、８…ＲＡＭ、９…ユーザＩ／Ｆ、１０…表示装置、２０…デコーダ、２１…ＢＥＲ計測部。
【図１】
2006270776.tif 000003
【図２】
2006270776.tif 000004
【図３】
2006270776.tif 000005